(57)【要約】【課題】組付け時に導電路が噛み込むのを防止する。【解決手段】ノイズフィルタＦａは、第１ケース構成体１１と第２ケース構成体１６を合体して構成されるフィルタケース１０と、第１ケース構成体１１の内面に保持された第１コア構成体３１と、第２ケース構成体１６の内面に保持された第２コア構成体３２と、第１コア構成体３１と第２コア構成体３１を合体して構成され、導電路Ｗを挿通させる挿通孔３３を有するフェライトコア３０と、第１コア構成体３１に形成され、第２ケース構成体１６を第１ケース構成体１１に対して位置決めする位置決め部３６とを備えている。【選択図】図２
2016082058.tif 000002
【特許請求の範囲】
【請求項１】
第１ケース構成体と第２ケース構成体を合体して構成されるフィルタケースと、
前記第１ケース構成体の内面に保持された第１コア構成体と、
前記第２ケース構成体の内面に保持された第２コア構成体と、
前記第１コア構成体と前記第２コア構成体を合体して構成され、導電路を挿通させる挿通孔を有するフェライトコアと、
前記第１コア構成体に形成され、前記第２ケース構成体を前記第１ケース構成体に対して位置決めする位置決め部とを備えていることを特徴とするノイズフィルタ。
【請求項２】
前記第１コア構成体が円弧状をなし、
前記位置決め部が、前記第１コア構成体の周方向における両端部を、前記第１ケース構成体における前記第２ケース構成体との合せ面から突出するように延長させた形態であることを特徴とする請求項１記載のノイズフィルタ。
【請求項３】
前記第１コア構成体が、半周以上の周長を有する円弧形をなしていることを特徴とする請求項２記載のノイズフィルタ。
【請求項４】
前記第１コア構成体には、前記導電路を収容可能であり、開口部が一対の前記位置決め部で構成された収容凹部が形成され、
前記位置決め部の内面には、前記収容凹部の開口部の間隔を外方に向かって拡大させる誘導面が形成されていることを特徴とする請求項３記載のノイズフィルタ。
【発明の詳細な説明】
【技術分野】
【０００１】
本発明は、ノイズフィルタに関するものである。
【背景技術】
【０００２】
特許文献１には、半円弧形をなす一対のコア構成体を円筒状に合体して構成されるフェライトコアと、略半円弧形をなす一対のケース構成体を円筒状に合体して構成されるフィルタケースとを備えたノイズフィルタが開示されている。フェライトコアは、フィルタケース内に収容された状態で導電路を包囲し、導電路のノイズを除去する。ケース構成体の軸線方向における両端縁には、内側へ半円弧形に張り出した形態の一対の端板が形成されている。フェライトコアは、一対の端板で挟まれることによりフィルタケース内に保持されている。ノイズフィルタを組み立てる際には、予め各ケース構成体にコア構成体を取り付けておき、導電路を挟み込むようにしながら、一対のケース構成体と一対のコア構成体を合体させる。
【先行技術文献】
【特許文献】
【０００３】
【特許文献１】特開２０１４−１１０３４３号公報
【発明の概要】
【発明が解決しようとする課題】
【０００４】
一対のケース構成体と一対のコア構成体を合体させるときに、ケース構成体同士が位置ずれした場合、導電路の外周部がコア構成体の間やケース構成体の間に噛み込むことが懸念される。この噛み込みは、一対のケース構成体が別体部品である場合は勿論、一対のケース構成体がヒンジで連結された単一部品である場合にも起こり得る事象である。
【０００５】
本発明は上記のような事情に基づいて完成されたものであって、組付け時に導電路が噛み込むのを防止することを目的とする。
【課題を解決するための手段】
【０００６】
本発明のノイズフィルタは、
第１ケース構成体と第２ケース構成体を合体して構成されるフィルタケースと、
前記第１ケース構成体の内面に保持された第１コア構成体と、
前記第２ケース構成体の内面に保持された第２コア構成体と、
前記第１コア構成体と前記第２コア構成体を合体して構成され、導電路を挿通させる挿通孔を有するフェライトコアと、
前記第１コア構成体に形成され、前記第２ケース構成体を前記第１ケース構成体に対して位置決めする位置決め部とを備えているところに特徴を有する。
【発明の効果】
【０００７】
この構成によれば、第１コア構成体の位置決め部により、第２ケース構成体が第１ケース構成体に対して位置決めされる。そして、両ケース構成体が位置決めされることで、第１コア構成体と第２コア構成体も位置決めされる。これにより、導電路が、第１ケース構成体と第２ケース構成体との間に噛み込むことや、第１コア構成体と第２コア構成体との間に噛み込むことを防止できる。
【図面の簡単な説明】
【０００８】
【図１】実施例１のノイズフィルタの断面図
【図２】ケース構成体とコア構成体の合体前の状態をあらわす断面図
【図３】実施例２のノイズフィルタの断面図
【図４】ケース構成体とコア構成体の合体前の状態をあらわす断面図
【発明を実施するための形態】
【０００９】
（１）本発明のノイズフィルタは、前記第１コア構成体が円弧状をなし、前記位置決め部が、前記第１コア構成体の周方向における両端部を、前記第１ケース構成体における前記第２ケース構成体との合せ面から突出するように延長させた形態であってもよい。この構成によれば、両ケース構成体を合体させる過程で、第２ケース構成体は、位置決め部の外面に当接することにより、第１ケース構成体に対して位置決めされる。位置決め部の形状を複雑にする必要がないので、製造コストの低減と、フィルタ機能の信頼性向上を図ることができる。
【００１０】
（２）本発明のノイズフィルタは、（１）において、前記第１コア構成体が、半周以上の周長を有する円弧形をなしていてもよい。この構成によれば、両コア構成体を合体していない状態で、導電路を第１コア構成体に取り付けたままにしておくことができるので、合体する際の作業性がよい。
【００１１】
（３）本発明のノイズフィルタは、（２）において、前記第１コア構成体には、前記導電路を収容可能であり、開口部が一対の前記位置決め部で構成された収容凹部が形成され、前記位置決め部の内面には、前記収容凹部の開口部の間隔を外方に向かって拡大させる誘導面が形成されていてもよい。この構成によれば、導電路を収容凹部内に収容する際の作業性がよい。
【００１２】
＜実施例１＞
以下、本発明を具体化した実施例１を図１〜図２を参照して説明する。本実施例１のノイズフィルタＦａは、導電路Ｗのノイズを除去するためのものであり、フィルタケース１０と、フェライトコア３０とを備えて構成されている。導電路Ｗは、１本の電線、複数本の電線を束ねたワイヤーハーネス等であり、断面が円形をなしている。
【００１３】
フィルタケース１０は、合成樹脂製であり、第１ケース構成体１１と、第２ケース構成体１６とをヒンジ２１を介して連結した単一部品である。第１ケース構成体１１は、半周よりも小さい範囲の円弧状をなす第１周壁部１２と、平板状の扇形をなす一対の第１端壁部１３とを有している。第１周壁部１２の円弧の中心軸と平行な向き（図１，２の紙面と直交する方向）を軸方向と定義したときに、一対の第１端壁部１３は、第１周壁部１２の軸方向における両端縁から径方向内側へ略直角に張り出した形態である。
【００１４】
周方向における第１端壁部１３の形成範囲は、第１周壁部１２と同じである。第１周壁部１２と一対の第１端壁部１３とで囲まれた空間は、第１収容空間１４となっている。第１端壁部１３の内周縁は、第１周壁部１２と同心状の円弧形をなしている。第１周壁部１２の内周には、複数の第１保持突起１５が、周方向及び軸方向に間隔を空けて形成されている。
【００１５】
第２ケース構成体１６は、半周よりも大きい範囲の円弧状をなす第２周壁部１７と、平板状の扇形をなす一対の第２端壁部１８とを有している。第２周壁部１７の内周面の曲率半径は、第１周壁部１２の内周面の曲率半径と同じ寸法である。一対の第２端壁部１８は、第２周壁部１７の軸方向における両端縁から径方向内側へ略直角に張り出した形態である。周方向における第２端壁部１８の形成範囲は、第２周壁部１７と同じである。第２周壁部１７と一対の第２端壁部１８とで囲まれた空間は、第２収容空間１９となっている。第２端壁部１８の内周縁は、第２周壁部１７と同心状の円弧形をなしている。第２周壁部１７の内周には、複数の第２保持突起２０が周方向及び軸方向に間隔を空けて形成されている。
【００１６】
ヒンジ２１は、周壁部１２，１７よりも肉薄の板状をなし、自由状態（弾性変形していない状態）では弧状に屈曲している。ヒンジ２１の一方の端部は、第１周壁部１２の図１，２における反時計回り方向の先端縁に連なっている。ヒンジ２１の他方の端部は、第２周壁部１７の図１，２における時計回り方向の先端縁に連なっている。第１ケース構成体１１と第２ケース構成体１６は、ヒンジ２１を支点として、図１に示す合体状態と図２に示す拡開状態との間で相対的に揺動（回動）し得るようになっている。
【００１７】
第１ケース構成体１１と第２ケース構成体１６を合体すると、第１周壁部１２と第２周壁部１７が円筒を構成し、フィルタケース１０がフェライトコア３０を収容する状態となる。両ケース構成体１１，１６を正しく合体すると、両ケース構成体１１，１６に形成されている周知のロック手段（図示省略）の係止作用により、両ケース構成体１１，１６が合体状態にロック（保持）されるようになっている。また、第１収容空間１４の開口縁は第１合せ面２２（請求項に記載の合せ面）となっており、第２収容空間１９の開口縁は第２合せ面２３となっている。第１ケース構成体１１と第２ケース構成体１６を合体すると、第１合せ面２２と第２合せ面２３が、当接又は接近して対向する位置関係となる。
【００１８】
フェライトコア３０は、第１コア構成体３１と第２コア構成体３２とを合体することにより円筒形に構成されている。両コア構成体３１，３２を合体すると、フェライトコア３０の中心孔は、導電路Ｗを挿通させるための円形の挿通孔３３として機能する。挿通孔３３の内径は導電路Ｗの外径とほぼ同じ寸法に設定されている。また、挿通孔３３の内径（半径）は、端壁部１３，１８の内周縁の曲率半径と同じか、それよりも少し小さい寸法に設定されている。
【００１９】
第１コア構成体３１と第２コア構成体３２は、形状と寸法が同一であり、半円筒形をなす共通の半割部品である。両コア構成体３１，３２の外周面の曲率半径は、両ケース構成体１１，１６の内周面の曲率半径と同じか、それよりも僅かに小さい寸法に設定されている。両コア構成体３１，３２の内周面の曲率半径は、導電路Ｗの外周の半径と同じか、それよりも僅かに大きい寸法、あるいは僅かに小さい寸法に設定されている。
【００２０】
両コア構成体３１，３２の軸方向の長さ寸法は、ケース構成体１１，１６の軸方向の長さ寸法、即ち端壁部１３，１８の軸方向の間隔と同じか、それよりも僅かに小さい寸法に設定されている。また、第１コア構成体３１の外周には、第１保持突起１５と嵌合可能な複数の第１保持凹部３４が形成され、第２コア構成体３２の外周には、第２保持突起２０と嵌合可能な複数の第２保持凹部３５が形成されている。
【００２１】
第１コア構成体３１の周方向における両端部は、位置決め部３６として機能する。第１コア構成体３１を第１ケース構成体１１に取り付けた状態では、一対の位置決め部３６が第１収容空間１４の外部へ突出する。即ち、２つの位置決め部３６は、第１ケース構成体１１の第１合せ面２２よりも外方へ突出した状態となる。この位置決め部３６の突出方向は、第１ケース構成体１１と第２ケース構成体１６の合体過程の終期において、両ケース構成体１１，１６の相対変位方向とほぼ平行な向きとなる。
【００２２】
本実施例１のノイズフィルタＦａを組み付ける際には、フィルタケース１０を開放状態にしておき、第１ケース構成体１１の第１収容空間１４内に第１コア構成体３１を収容する。このとき、第１コア構成体３１を一対の第１端壁部１３の間に嵌め入れ、第１コア構成体３１の外周面を第１ケース構成体１１の内周面に当接又は接近して対向させて、複数の第１保持突起１５に複数の第１保持凹部３４を嵌合させる。これにより、第１コア構成体３１が第１ケース構成体１１に取り付けられた状態に保持される。
【００２３】
第１コア構成体３１を第１ケース構成体１１に取り付けた状態では、第１コア構成体３１の周方向における両端部の位置決め部３６が、第１収容空間１４の外部へ突出する。位置決め部３６の突出方向は、第１ケース構成体１１と第２ケース構成体１６の合体過程の終期において、両ケース構成体１１，１６の相対変位方向とほぼ平行な向きである。第１コア構成体３１を第１ケース構成体１１に取り付けた後は、導電路Ｗを、第１コア構成体３１に対しその内周面に密着させるように仮保持する。
【００２４】
一方、第２ケース構成体１６の第２収容空間１９内には、第２コア構成体３２を収容する。このとき、第２コア構成体３２を一対の第２端壁部１８の間に嵌め入れ、第２コア構成体３２の外周面を第２ケース構成体１６の内周面に当接又は接近して対向させて、複数の第２保持突起２０に複数の第２保持凹部３５を嵌合させる。これにより、第２コア構成体３２が第２ケース構成体１６に取り付けられた状態に保持される。
【００２５】
第２コア構成体３２を第２ケース構成体１６に取り付けた状態では、第２コア構成体３２の周方向における両端部が、第２合せ面２３よりも凹んだ状態となっている。これにより、第２周壁部１７の内周面のうち第２合せ面２３に沿った開口縁領域は、第２コア構成体３２によって覆われずに露出する位置決め面２４として機能する。
【００２６】
この後、ヒンジ２１を変形させながらヒンジ２１を支点として両ケース構成体１１，１６を合体させる。両ケース構成体１１，１６を合体させる過程では、第２ケース構成体１６のヒンジ２１から遠い側の位置決め面２４が、第１コア構成体３１の位置決め部３６の外周突出端に摺接する。この摺接作用により、第１ケース構成体１１に対する第２ケース構成体１６の接近経路が安定する。これにより、第１ケース構成体１１と第２ケース構成体１６が、軸方向や径方向（図１，２における左右方向）に位置ずれすることなく正しい位置関係で合体し、第１合せ面２２と第２合せ面２３が当接又は接近して対向する。
【００２７】
また、両ケース構成体１１，１６が合体するのに伴い、両コア構成体３１，３２が合体してフェライトコア３０が構成されるとともに、両コア構成体３１，３２の間に導電路Ｗが挟み付けられる。そして、両コア構成体３１，３２の合体によって形成された挿通孔３３に導電路Ｗが貫通した状態となる。挿通孔３３の内径と、端壁部１３，１８の内周縁によって形成される円形の窓孔２５の内径は、導電路Ｗの外径とほぼ同じ寸法であるから、導電路Ｗは、フェライトコア３０とフィルタケース１０に対して径方向に相対変位しないように位置決めされる。
【００２８】
ところが、この導電路Ｗを径方向に位置決めする構造では、第１ケース構成体１１と第２コア構成体３２が、第２ケース構成体１６と第２コア構成体３２に対して径方向（図１における左右方向）に位置ずれした状態で合体した場合に、コア構成体３１，３２やケース構成体１１，１６の端壁部１３，１８が導電路Ｗの外周部に食い込む虞がある。しかし、本実施例１のノイズフィルタＦａは、第１コア構成体３１に設けた位置決め部３６によって、第２ケース構成体１６を第１ケース構成体１１に対して位置決めしている。そして、両ケース構成体１１，１６が位置決めされることで、第１コア構成体３１と第２コア構成体３２も位置決めされる。したがって、導電路Ｗが、両ケース構成体１１，１６の間に噛み込むことや、両コア構成体３１，３２の間に噛み込むことを防止できる。
【００２９】
具体的には、第１コア構成体３１は円弧状をなしていて、位置決め部３６が、第１コア構成体３１の周方向における両端部を、第１ケース構成体１１において第２ケース構成体１６と当接又は対向する第１合せ面２２から突出するように延長させた形態としている。この構成によれば、両ケース構成体１１，１６を合体させる過程で、第２ケース構成体１６は、位置決め部３６の外面に当接することにより、第１ケース構成体１１に対して位置決めされる。この位置決め部３６は、第１コア構成体３１の円弧形状の一部を構成するシンプルな形状であるから、フェライトコア３０の製造コストの低減と、フェライトコア３０によるフィルタ機能の信頼性向上を図ることができる。
【００３０】
＜実施例２＞
以下、本発明を具体化した実施例２を図３〜図４を参照して説明する。本実施例２のノイズフィルタＦｂは、導電路Ｗのノイズを除去するためのものであり、フィルタケース４０と、フェライトコア６０とを備えて構成されている。導電路Ｗは、１本の電線、複数本の電線を束ねたワイヤーハーネス等であり、断面が円形をなしている。
【００３１】
フィルタケース４０は、合成樹脂製であり、第１ケース構成体４１と、第２ケース構成体４６とをヒンジ５１を介して連結した単一部品である。第１ケース構成体４１は、半円弧状をなす第１周壁部４２と、平板状の扇形をなす一対の第１端壁部４３とを有している。第１周壁部４２の円弧の中心軸と平行な向き（図３，４の紙面と直交する方向）を軸方向と定義したときに、一対の第１端壁部４３は、第１周壁部４２の軸方向における両端縁から径方向内側へ略直角に張り出した形態である。
【００３２】
周方向における第１端壁部４３の形成範囲は、第１周壁部４２と同じである。第１周壁部４２と一対の第１端壁部４３とで囲まれた空間は、第１収容空間４４となっている。第１端壁部４３の内周縁は、第１周壁部４２と同心状の円弧形をなしている。第１周壁部４２の内周には、複数の第１保持突起４５が、周方向及び軸方向に間隔を空けて形成されている。
【００３３】
第２ケース構成体４６は、第１ケース構成体４１と対称な形状である。即ち、第２ケース構成体４６は、第１ケース構成体４１と同じく半円弧状の第２周壁部４７と、平板状の扇形をなす一対の第２端壁部４８とを有している。第２周壁部４７の内周面の曲率半径は、第１周壁部４２の内周面の曲率半径と同じ寸法である。一対の第２端壁部４８は、第２周壁部４７の軸方向における両端縁から径方向内側へ略直角に張り出した形態である。周方向における第２端壁部４８の形成範囲は、第２周壁部４７と同じである。第２周壁部４７と一対の第２端壁部４８とで囲まれた空間は、第２収容空間４９となっている。第２端壁部４８の内周縁は、第２周壁部４７と同心状の円弧形をなしている。第２周壁部４７の内周には、複数の第２保持突起５０が、周方向及び軸方向に間隔を空けて形成されている。
【００３４】
ヒンジ５１は、周壁部４２，４７よりも肉薄の板状をなし、自由状態（弾性変形していない状態）では弧状に屈曲している。ヒンジ５１の一方の端部は、第１周壁部４２の図３，４における反時計回り方向の先端縁に連なっている。ヒンジ５１の他方の端部は、第２周壁部４７の図３，４における時計回り方向の先端縁に連なっている。第１ケース構成体４１と第２ケース構成体４６は、ヒンジ５１を支点として、図３に示す合体状態と図４に示す拡開状態との間で相対的に揺動（回動）し得るようになっている。
【００３５】
第１ケース構成体４１と第２ケース構成体４６を合体すると、第１周壁部４２と第２周壁部４７が円筒を構成し、フィルタケース４０がフェライトコア６０を収容する状態となる。両ケース構成体４１，４６を正しく合体すると、両ケース構成体４１，４６に形成されている周知のロック手段（図示省略）の係止作用により、両ケース構成体４１，４６が合体状態にロック（保持）されるようになっている。また、第１収容空間４４の開口縁は第１合せ面５２（請求項に記載の合せ面）となっており、第２収容空間４９の開口縁は第２合せ面５３となっている。第１ケース構成体４１と第２ケース構成体４６を合体すると、第１合せ面５２と第２合せ面５３が、当接又は接近して対向する位置関係となる。
【００３６】
フェライトコア６０は、第１コア構成体６１と第２コア構成体６２とを合体することにより円筒形に構成されている。両コア構成体６１，６２を合体すると、フェライトコア６０の中心孔は、導電路Ｗを挿通させるための円形の挿通孔６３として機能する。挿通孔６３の内径は導電路Ｗの外径とほぼ同じ寸法に設定されている。また、挿通孔６３の内径（半径）は、端壁部４３，４８の内周縁の曲率半径と同じか、それよりも少し小さい寸法に設定されている。
【００３７】
第１コア構成体６１と第２コア構成体６２は、形状と寸法が異なっている。第１コア構成体６１は、半周よりも大きい範囲に亘る円弧状をなす。第１コア構成体６１の外周面の曲率半径は、第１ケース構成体４１の内周面の曲率半径と同じか、それよりも僅かに小さい寸法に設定されている。第１コア構成体６１の内周面の曲率半径は、導電路Ｗの外周の半径と同じか、それよりも僅かに大きい寸法、あるいは僅かに小さい寸法に設定されている。
【００３８】
第２コア構成体６２は、半周よりも小さい範囲の円弧状をなす。第２コア構成体６２の外周面の曲率半径は、第１コア構成体６１の外周面の曲率半径と同じ寸法であり、第２ケース構成体４６の内周面の曲率半径と同じか、それよりも僅かに小さい寸法に設定されている。第２コア構成体６２の内周面の曲率半径は、導電路Ｗの外周の半径と同じか、それよりも僅かに大きい寸法、あるいは僅かに小さい寸法に設定されている。
【００３９】
両コア構成体６１，６２の軸方向の長さ寸法は、ケース構成体４１，４６の軸方向の長さ寸法、即ち端壁部４３，４８の軸方向の間隔と同じか、それよりも僅かに小さい寸法に設定されている。また、第１コア構成体６１の外周には、第１保持突起４５と嵌合可能な複数の第１保持凹部６４が形成され、第２コア構成体６２の外周には、第２保持突起５０と嵌合可能な複数の第２保持凹部６５が形成されている。
【００４０】
第１コア構成体６１の周方向における両端部は、位置決め部６６として機能する。第１コア構成体６１を第１ケース構成体４１に取り付けた状態では、一対の位置決め部６６が第１収容空間４４の外部へ突出する。即ち、２つの位置決め部６６は、第１ケース構成体４１の第１合せ面５２よりも外方へ突出した状態となる。この位置決め部６６の突出方向は、第１ケース構成体４１と第２ケース構成体４６の合体過程の終期において、両ケース構成体４１，４６の相対変位方向とほぼ平行な向きとなる。
【００４１】
また、第１コア構成体６１の内周面によって区画された空間は、導電路Ｗを収容するための収容凹部６７となっており、両コア構成体６１，６２を合体したときに挿通孔６３を構成する。収容空間は、一対の位置決め部６６の間から第１コア構成体６１の外周側へ開放されている。そして、一対の位置決め部６６の内面には、誘導面６８が形成されている。誘導面６８を形成したことにより、一対の位置決め部６６の間隔は、収容凹部６７内から第１コア構成体６１の外周側に向かって拡がっている。
【００４２】
本実施例２のノイズフィルタＦｂを組み付ける際には、フィルタケース４０を開放状態にしておき、第１ケース構成体４１の第１収容空間４４に第１コア構成体６１を収容する。このとき、第１コア構成体６１を一対の第１端壁部４３の間に嵌め入れ、第１コア構成体６１の外周面を第１ケース構成体４１の内周面に当接又は接近して対向させて、複数の第１保持突起４５に複数の第１保持凹部６４を嵌合させる。この嵌合により、第１コア構成体６１が第１ケース構成体４１に取り付けられた状態に保持される。
【００４３】
第１コア構成体６１を第１ケース構成体４１に取り付けた状態では、第１コア構成体６１の周方向における両端部の位置決め部６６が、第１収容空間４４の外部へ突出する。換言すると、２つの位置決め部６６は、第１ケース構成体４１の第１合せ面５２よりも外方へ突出した状態となる。この位置決め部６６の突出方向は、第１ケース構成体４１と第２ケース構成体４６の合体過程の終期において、両ケース構成体４１，４６の相対変位方向とほぼ平行な向きである。
【００４４】
第１コア構成体６１を第１ケース構成体４１に取り付けた後は、導電路Ｗを、第１コア構成体６１の収容凹部６７に仮保持する。収容凹部６７の内周面の曲率半径は導電路Ｗの外周の曲率半径とほぼ同じ寸法であり、収容凹部６７の内周面は半周以上に亘って延びている。したがって、導電路Ｗを一対の位置決め部６６の間に通して収容凹部６７に収容しようとすると、位置決め部６６の先端部に導電路Ｗの外周部が引っ掛かることが懸念される。しかし、一対の位置決め部６６の内面には誘導面６８が形成されていて、両位置決め部６６の間隔が第１コア構成体６１の外周側に向かって拡大しているので、導電路Ｗを一対の位置決め部６６の間に通して収容凹部６７内に収容する作業は、支障なく行うことができる。
【００４５】
一方、第２ケース構成体４６の第２収容空間４９内には、第２コア構成体６２を収容する。このとき、第２コア構成体６２を一対の第２端壁部４８の間に嵌め入れ、第２コア構成体６２の外周面を第２ケース構成体４６の内周面に当接又は接近して対向させて、複数の第２保持突起５０に複数の第２保持凹部６５を嵌合させる。これにより、第２コア構成体６２が第２ケース構成体４６に取り付けられた状態に保持される。
【００４６】
第２コア構成体６２を第２ケース構成体４６に取り付けた状態では、第２コア構成体６２の周方向における両端部が、第２合せ面５３よりも凹んだ状態となっている。これにより、第２周壁部４７の内周面のうち第２合せ面５３に沿った開口縁領域は、第２コア構成体６２によって覆われずに露出する位置決め面５４として機能する。
【００４７】
この後、ヒンジ５１を変形させながらヒンジ５１を支点として両ケース構成体４１，４６を合体させる。両ケース構成体４１，４６を合体させる過程では、第２ケース構成体４６のヒンジ５１から遠い側の位置決め面５４が、第１コア構成体６１の位置決め部６６の外周突出端に摺接する。この摺接作用により、第１ケース構成体４１に対する第２ケース構成体４６の接近経路が安定する。これにより、第１ケース構成体４１と第２ケース構成体４６が、軸方向や径方向（図３，４における左右方向）に位置ずれすることなく正しい位置関係で合体し、第１合せ面５２と第２合せ面５３が当接又は接近して対向する。
【００４８】
また、両ケース構成体４１，４６が合体するのに伴い、両コア構成体６１，６２が合体してフェライトコア６０が構成されるとともに、両コア構成体６１，６２の間に導電路Ｗが挟み付けられる。そして、両コア構成体６１，６２の合体によって形成された挿通孔６３に導電路Ｗが貫通した状態となる。挿通孔６３の内径と、両端壁部４３，４８の内周縁によって形成される円形の窓孔５５の内径は、導電路Ｗの外径とほぼ同じ寸法であるから、導電路Ｗは、フェライトコア６０及びフィルタケース４０に対して径方向に相対変位しないように位置決めされる。
【００４９】
ところが、この導電路Ｗを径方向に位置決めする構造では、第１ケース構成体４１と第２コア構成体６２が、第２ケース構成体４６と第２コア構成体６２に対して径方向（図３における左右方向）に位置ずれした状態で合体した場合に、コア構成体６１，６２やケース構成体４１，４６の端壁部４３，４８が導電路Ｗの外周部に食い込む虞がある。しかし、本実施例２のノイズフィルタＦｂは、第１コア構成体６１に設けた位置決め部６６によって、第２ケース構成体４６を第１ケース構成体４１に対して位置決めしている。そして、両ケース構成体４１，４６が位置決めされることで、第１コア構成体６１と第２コア構成体６２も位置決めされる。したがって、導電路Ｗが、両ケース構成体４１，４６の間に噛み込むことや、両コア構成体６１，６２の間に噛み込むことを防止できる。
【００５０】
具体的には、第１コア構成体６１は円弧状をなしていて、位置決め部６６が、第１コア構成体６１の周方向における両端部を、第１ケース構成体４１において第２ケース構成体４６と当接又は対向する第１合せ面５２から突出するように延長させた形態としている。この構成によれば、両ケース構成体４１，４６を合体させる過程で、第２ケース構成体４６は、位置決め部６６の外面に当接することにより、第１ケース構成体４１に対して位置決めされる。この位置決め部６６は、第１コア構成体６１の円弧形状の一部を構成するシンプルな形状であるから、フェライトコア６０の製造コストの低減と、フェライトコア６０によるフィルタ機能の信頼性向上を図ることができる。
【００５１】
また、第１コア構成体６１は、半周以上の周長を有する円弧形をなしているので、両コア構成体６１，６２を合体していない状態で、導電路Ｗを第１コア構成体６１に取り付けたままにしておくことができる。したがって、ケース構成体４１，４６とコア構成体６１，６２を合体する際の作業性がよい。また、第１コア構成体６１には、導電路Ｗを収容可能であり、開口部が一対の前記位置決め部６６で構成された収容凹部６７が形成されている。そして、位置決め部６６の内面には、収容凹部６７の開口部の間隔を外方に向かって拡大させる誘導面６８が形成されている。したがって、導電路Ｗを収容凹部６７内に収容する際の作業性がよい。
【００５２】
＜他の実施例＞
本発明は上記記述及び図面によって説明した実施例に限定されるものではなく、例えば次のような実施例も本発明の技術的範囲に含まれる。
（１）上記実施例１，２では、位置決め部が、第１コア構成体の周方向両端部を第１ケース構成体の合せ面から突出させた形態としたが、位置決め部は、第１コア構成体の周方向における一方の端部のみを、第１ケース構成体の合せ面から突出させた形態であってもよい。
（２）上記実施例１，２では、フィルタケースとフェライトコアが円形をなしているが、フィルタケースとフェライトコアは、長円形や略方形等、円形以外の形状であってもよい。
（３）上記実施例１，２では、フェライトコアに１つの挿通孔が形成されているが、１つのフェライトコアに複数の挿通孔が形成され、各挿通孔に導電路が挿通されていてもよい。
（４）上記実施例１，２では、一対のケース構成体がヒンジによって連結されているが、一対のケース構成体が別体の部品であってもよい。
【符号の説明】
【００５３】
Ｆａ…ノイズフィルタ
Ｗ…導電路
１０…フィルタケース
１１…第１ケース構成体
１６…第２ケース構成体
２２…第１合せ面（合せ面）
３０…フェライトコア
３１…第１コア構成体
３２…第２コア構成体
３３…挿通孔
３６…位置決め部
Ｆｂ…ノイズフィルタ
４０…フィルタケース
４１…第１ケース構成体
４６…第２ケース構成体
５２…第１合せ面（合せ面）
６０…フェライトコア
６１…第１コア構成体
６２…第２コア構成体
６３…挿通孔
６６…位置決め部
６７…収容凹部
６８…誘導面
【図１】
2016082058.tif 000003
【図２】
2016082058.tif 000004
【図３】
2016082058.tif 000005
【図４】
2016082058.tif 000006